(57)【要約】【課題】複雑な組立手順を必要とせず、簡単な作業で、組立ることができ、従って安価であり、貯蔵と運搬が容易な立体告知物を提供する。【解決手段】本考案の立体告知物１は、ポンジよりなる布地３の左右の端部を縫合し、前記布地の上部を縫合してなる筒状上縁部３１及び前記布地の下部を縫合してなる筒状下縁部３２よりなる布体２並びにグラスファイバー製弾性体及び接続具よりなる環状弾性体４とを具備し、前記筒状上縁部３１および前記筒状下縁部３２に前記環状弾性体４を挿入してなり、前記布体２の上部円周上及び下部円周上にそれぞれ相対応する１組のチチ６を有し、上部のチチ６に挿通した紐７によって、天井、支持竿などに設置された吊下げ具に、懸吊して広告の用に供し、下部のチチ６に広告類を吊下げ、広告の効果を向上する。【選択図】  図１
0003103610.tif 000002
【実用新案登録請求の範囲】
【請求項１】
布地の左右の端部を縫合し、前記布地の上部を縫合してなる筒状上縁部及び前記布地の下部を縫合してなる筒状下縁部よりなる布体並びに弾性体及び接続具よりなる環状弾性体とを具備し、前記筒状上縁部および前記筒状下縁部に前記環状弾性体を挿入してなることを特徴とする立体告知物。
【考案の詳細な説明】
【技術分野】
【０００１】  本考案は、立体告知物に関するものであり、詳しくは布地の左右の端部を縫合してなる布体と環状弾性体とよりなる立体告知物に関する。
【背景技術】
【０００２】  立体告知物に関しては、平面の組み合わせになるもの、湾曲した面を利用したもの、円筒面を利用したものなどの原理が実用化されている。中でも、円筒面を利用したものは、立体的であり、広告手段としては、効果的である。そこで、出願人は、「広告塔」を出願した。
【特許文献１】実用新案登録公報  第３０６８６７３号
【０００３】  この「広告塔」は、内円筒と外円筒の間の密閉空間に空気を注入してなる円筒と支柱とよりなり、円筒の内側は支柱に圧着して、円筒を自立させ、円筒の外面は広告情報の提供の具に利用したものである。この「広告塔」の考案の主旨は、保持金具、支持片などの補助部品を使用せず、空気を利用して立体化を具現したもので、組立が容易なばかりでなく、運搬、貯蔵にも優れた効果を発揮している。しかしながら、この「広告塔」は、密閉空間に空気を注入することが必要であった。これより、簡易な立体告知物の出現が望まれていた。
【考案の開示】
【考案が解決しようとする課題】
【０００４】  本考案は、以上のような問題点を解決するためになされたもので、部品点数が少なく、組立が容易で、安価であり、貯蔵と運搬が容易な立体告知物を提供することを課題とした。
【課題を解決するための手段】
【０００５】  課題を解決するために考案した立体告知物は、布地の左右の端部を縫合し、前記布地の上部を縫合してなる筒状上縁部及び前記布地の下部を縫合してなる筒状下縁部よりなる布体並びに弾性体及び接続具よりなる環状弾性体とを具備し、前記筒状上縁部および前記筒状下縁部に前記環状弾性体を挿入してなることを特徴とする。
【考案の効果】
【０００６】  本考案の立体告知物は、布体の筒状上縁部及び筒状下縁部に環状弾性体を挿入して完成しただけの簡単構造なので、複雑な組立手順を必要とせず、簡単な作業で、組立ることができるし、したがって、安価であるという目的と、構成部品の形態は、布状、棒状であるので、貯蔵、運搬も容易であるという目的とを達成した。【０００７】  また、立体告知物に用いられている環状弾性体は、柔軟性があり、布体に組み込まれた場合、布体を告知用として充分に円筒形に近く形成し、したがって、立体告知物の美観を確保し、さらに、外部からの衝撃に対しても、変形に対して抵抗力があり、広告媒体に悪影響を及ぼすことはなく、万一ぶつかるようなことがあっても、人に危害を加えることもないという効果もある。
【考案を実施するための最良の形態】
【０００８】  本考案の立体告知物は、布地の左右の端部を縫合してなる布体の筒状上縁部及び筒状下縁部に環状弾性体を挿入してなり、布体の上部円周上及び下部円周上にそれぞれ相対応する１組のチチを有し、上部のチチに挿通した紐によって、天井、支持竿などに設置された吊下げ具に、懸吊して広告の用に供し、下部のチチに広告類を吊下げ、広告の効果を向上する。
【実施例】
【０００９】  本考案の立体告知物１は、布体２の筒状上縁部３１及び筒状下縁部３２に環状弾性体４を挿入してなり、図１は、本考案の立体告知物１が、吊下げられた状態を示す斜視図である。立体告知物１は、布体２の上部円周上に相対応する１組のチチ６と、布体２の下部円周上に相対応する１組のチチ６とを備え、上部のチチ６に通した紐７によって吊下げられる。チチ６の大きさは、幅１０ｍｍ、長さ３０ｍｍでる。
本明細書において、記載されている寸法は、概略値である。【００１０】  図２（ａ）は、布体２の展開図であり、布地３の平面図である。布体２は、布地３の左右の端部を重ね合わせ、縫合して円筒状に形成される。重ね合わせ代は１５ｍｍで、端部から８ｍｍの縫合線３３に沿って縫合される。布地３の重ね合わせ部分の上縁及び下縁より４０ｍｍは非縫合部とする。前記非縫合部は、筒状上縁部３１及び筒状下縁部３２に弾性体４１を挿入するときの挿入口の役割を果たす。布地３は、大きさは、縦８３０ｍｍ、横１５００ｍｍの長方形であり、材質は、ポンジであり、これを使用することによって、廃棄処分時の環境汚染の発生を防ぐ。【００１１】  布地３は、筒状上縁部３１及び筒状下縁部３２を有する。布地３の筒状上縁部３１及び筒状下縁部３２は、布地３の上縁及び下縁を１５ｍｍ折り返し、上縁及び下縁から８ｍｍの部分を縫合してなり、筒状である。図示されていないが、この筒状作成時に、布地３の上縁に２個のチチ６と、布地３の下縁に２個のチチ６を縫合する。図２（ｂ）は、図２（ａ）のＡ部の拡大図である。【００１２】  環状弾性体４は、弾性体４１と接続具５よりなる。図３（ａ）は、環状弾性体４の平面図であり、弾性体４１を接続具５によって接続してリング状を得た図である。図３（ｂ）は、接続具５の断面図である。弾性体４１は、直径３ｍｍ、長さ１５００ｍｍ、素材は、グラスファイバーである。ピアノ線を用いることも可能であるが、復元力があれば、素材は限定されない。接続具５は、内径３ｍｍ肉厚１ｍｍ長さ４０ｍｍのアルミ管である。接続具５は、中間に「へこみ」５１を備える。この「へこみ」５１は、弾性体４１の接続時、接続具５の両側から挿入された１本の弾性体４１を接続具５の中間付近で留める効果がある。布体２が円筒状の場合は、布体２の筒状上縁部３１及び筒状下縁部３２に挿入する弾性体４１の長さは、同じである。布体２が円筒状以外の場合は、弾性体４１の長さは異なる。【００１３】  図４（ａ）は、本考案の一例である円筒状の立体告知物１の布体２の平面図である。図４（ｂ）は、円筒状の立体告知物１の布体２の側面図である。布体２の筒状上縁部３１及び筒状下縁部３２に弾性体４１を挿入し、弾性体４１の両端部を接続具５で接続する。接続具５で接続した弾性体４１は、リング状の環状弾性体４を形成する。布体２の上部及び下部の形状は、環状弾性体４によって、円形を維持し、布体２は円筒形を形成する。筒状上縁部３１及び筒状下縁部３２に弾性体４１を挿入してなる布体２の直径は４７０ｍｍである。
【産業上の利用可能性】
【００１４】  本明細書に記載の布体は、形状及び大きさを変えることにより、円筒型、瓶型に限らず円錐型など各種形態の立体告知物に応用でき、いずれも本明細書に記載の同等の効果が得られる。図５は、形態の一例を示したものである。図５（ａ）は、円錐形立体告知物であ。図５（ｂ）は、瓶型立体告知物である。図５（ｃ）は、提灯型立体告知物である。その外図示されていないが、コマ型、算盤玉型、多重型など異型の立体告知物に展開できる。【００１５】  本考案の立体告知物は、一組のチチを有し、このチチに紐などを通して、天井、梁などに設置されている金具から懸吊自在に吊下げられる。金具が回転自在であって、金具とチチの間に受風装置を設置すれば、立体告知物周囲の空気の僅かな動きに対しても、立体告知物は回転力を得て、回転を始める。立体告知物の優れた動的効果が得られる。
【図面の簡単な説明】
【００１６】
【図１】本考案の立体告知物を、吊下げた状態を示す斜視図である。
【図２】（ａ）布体の展開図であり、布地の平面図である。（ｂ）図２のＡ部拡大図である。
【図３】（ａ）環状弾性体の平面図である。（ｂ）接続具の断面図である。
【図４】（ａ）円筒状立体告知物の平面図である。（ｂ）円筒状立体告知物の側面図である。
【図５】（ａ）円錐状立体告知物の平面図である。（ｂ）瓶状立体告知物の平面図である。（ｃ）提灯状立体告知物の平面図である。
【符号の説明】
【００１７】１  立体告知物
２  布体
３  布地
３１  筒状上縁部
３２  筒状下縁部
３３  縫合線
４  環状弾性体
４１  弾性体
５  接続具
５１  「へこみ」
６  チチ
７  紐
【図１】
0003103610.tif 000003
【図２】
0003103610.tif 000004
【図３】
0003103610.tif 000005
【図４】
0003103610.tif 000006
【図５】
0003103610.tif 000007